(57)【要約】【課題】オリジナル性を有すると共に、製造工程の簡略化を実現することができ、また写真画像と写真画像以外の装飾画像との自由なレイアウトを容易に実現可能であると共に、ビジュアル性に優れる複合アルバムの提供を課題とする。【解決手段】少なくとも２ヶ所以上で見開き自在な複数面を備える本体部１０に、画像表示部２０を貼り付けてなる複合アルバム１であって、画像表示部２０は、印刷体を複数連結させて備えるアルバムページ用画像表示部２１と、印刷体を単体で備える台紙ページ用画像表示部２２とからなると共に、本体部１０の複数面のうち、少なくとも２面にはアルバムページ用画像表示部２１を貼り付け、且つ残る面のうち、少なくとも１面には台紙ページ用画像表示部２２を貼り付けることで、アルバムページ用画像表示部２１と台紙ページ用画像表示部２２とを見開き自在に連結させてある複合アルバムである。【選択図】      図１
2013220540.tif 000002
【特許請求の範囲】
【請求項１】
少なくとも２ヶ所以上で見開き自在な複数面を備える本体部に、写真画像等の画像を表示する画像表示部を貼り付けてなる複合アルバムであって、前記画像表示部は、画像を印刷表示した印刷体を複数連結させて備えるアルバムページ用画像表示部と、前記印刷体を単体で備える台紙ページ用画像表示部とからなると共に、前記本体部の複数面のうち、少なくとも２面には前記アルバムページ用画像表示部を貼り付け、且つ残る面のうち、少なくとも１面には前記台紙ページ用画像表示部を貼り付けることで、前記アルバムページ用画像表示部と前記台紙ページ用画像表示部とを見開き自在に連結させてあることを特徴とする複合アルバム。
【請求項２】
本体部は、板状からなる複数の芯材と、１枚のシート状部材からなる表紙とを少なくとも備えると共に、並列配置させた前記複数の芯材の表面全体に前記表紙を貼り付けることで、前記複数の芯材を折り畳み可能に連結させた状態に構成してあることを特徴とする請求項１に記載の複合アルバム。
【請求項３】
印刷体は、１乃至複数の写真画像と、１乃至複数の装飾画像とが合成印刷されてなることを特徴とする請求項１又は２に記載の複合アルバム。
【請求項４】
印刷体は、芯材と略同一な大きさであることを特徴とする請求項２又は３に記載の複合アルバム。
【請求項５】
表紙には、１乃至複数の写真画像と、１乃至複数の装飾画像とが合成印刷されてあることを特徴とする請求項２又は３に記載の複合アルバム。
【請求項６】
印刷体の表面に、表面保護膜を被覆させてあることを特徴とする請求項１〜５の何れか１項に記載の複合アルバム。
【発明の詳細な説明】
【技術分野】
【０００１】
本発明は、アルバムページ用画像表示部と、台紙ページ用画像表示部とを見開き自在に備えることで、オリジナル性のあるアルバムを実現することができる複合アルバムに関する。
【背景技術】
【０００２】
従来、お宮参り、入学式、成人式、婚礼等の記念行事に際しての記念写真を保存、閲覧することができるものとして、アルバムが用いられている。
このようなアルバムは、厚紙等の芯材の表裏全面に感圧性接着剤を塗布し、表面を透明の保護フィルムで剥離自在に被覆した台紙を複数枚連結させて製本した構成で形成されているもの（いわゆるブック型アルバム）が一般的である。
またこのような従来のアルバムにおいては、保護フィルムを剥離し、芯材と保護フィルムとの間に写真を挟み込むことで写真を保存、閲覧するものが一般的である。
更にこのような従来のアルバムにおいては、高級感を演出するために、無地若しくは金箔で文字入れした布地で表紙を形成するものが一般的である。
このようなアルバムを示す従来技術として、例えば下記特許文献１がある。
【先行技術文献】
【特許文献】
【０００３】
【特許文献１】特許第３６７０７５６号公報
【発明の概要】
【発明が解決しようとする課題】
【０００４】
上記特許文献１に示すような従来のアルバムは、写真を容易に着脱できると共に、重厚感や高級感を演出できるというメリットがある。
しかし、このような従来のアルバムは、既述したように、保護フィルムを備える台紙を複数枚連結させて製本した構成であることから、アルバムの構成（形態等）が単調なものとなり、オリジナル性に欠けるという問題があった。
また既述したように、保護フィルムを剥離し、芯材と保護フィルムとの間に写真を挟み込む構成であることから、自由なレイアウトで写真を配置することが困難であるという問題があった。
また無地若しくは文字入れのみで表紙を形成する構成であることから、オリジナル性及びビジュアル性に欠けるという問題があった。
【０００５】
そこで本発明は上記従来における問題点を解決し、オリジナル性を有すると共に、製造工程の簡略化を実現することができ、また写真画像と写真画像以外の装飾画像との自由なレイアウトを容易に実現可能であると共に、ビジュアル性に優れる複合アルバムの提供を課題とする。
【課題を解決するための手段】
【０００６】
本発明の複合アルバムは、少なくとも２ヶ所以上で見開き自在な複数面を備える本体部に、写真画像等の画像を表示する画像表示部を貼り付けてなる複合アルバムであって、前記画像表示部は、画像を印刷表示した印刷体を複数連結させて備えるアルバムページ用画像表示部と、前記印刷体を単体で備える台紙ページ用画像表示部とからなると共に、前記本体部の複数面のうち、少なくとも２面には前記アルバムページ用画像表示部を貼り付け、且つ残る面のうち、少なくとも１面には前記台紙ページ用画像表示部を貼り付けることで、前記アルバムページ用画像表示部と前記台紙ページ用画像表示部とを見開き自在に連結させてあることを第１の特徴としている。
【０００７】
上記本発明の第１の特徴によれば、複合アルバムは、少なくとも２ヶ所以上で見開き自在な複数面を備える本体部に、写真画像等の画像を表示する画像表示部を貼り付けてなる複合アルバムであって、前記画像表示部は、画像を印刷表示した印刷体を複数連結させて備えるアルバムページ用画像表示部と、前記印刷体を単体で備える台紙ページ用画像表示部とからなると共に、前記本体部の複数面のうち、少なくとも２面には前記アルバムページ用画像表示部を貼り付け、且つ残る面のうち、少なくとも１面には前記台紙ページ用画像表示部を貼り付けることで、前記アルバムページ用画像表示部と前記台紙ページ用画像表示部とを見開き自在に連結させてあることから、アルバムページ用画像表示部と台紙ページ用画像表示部とを見開き自在に連結させて備えることで、オリジナル性を有するアルバムとすることができる。また本体部に画像表示部を貼り付けるだけの構成であるので、製造工程の簡略化を実現することができる。
【０００８】
また本発明の複合アルバムは、上記本発明の第１の特徴に加えて、本体部は、板状からなる複数の芯材と、１枚のシート状部材からなる表紙とを少なくとも備えると共に、並列配置させた前記複数の芯材の表面全体に前記表紙を貼り付けることで、前記複数の芯材を折り畳み可能に連結させた状態に構成してあることを第２の特徴としている。
【０００９】
上記本発明の第２の特徴によれば、上記本発明の第１の特徴による作用効果に加えて、本体部は、板状からなる複数の芯材と、１枚のシート状部材からなる表紙とを少なくとも備えると共に、並列配置させた前記複数の芯材の表面全体に前記表紙を貼り付けることで、前記複数の芯材を折り畳み可能に連結させた状態に構成してあることから、見開き自在な複数面を備える本体部を容易に形成することができる。よって一段と製造工程の簡略化を実現することができる。
また本体部を構成する複数の芯材を折り畳み可能に連結させることで、持ち運びや保管に便利なアルバムとすることができる。
【００１０】
また本発明の複合アルバムは、上記本発明の第１又は第２の特徴に加えて、印刷体は、１乃至複数の写真画像と、１乃至複数の装飾画像とが合成印刷されてなることを第３の特徴としている。
【００１１】
上記本発明の第３の特徴によれば、上記本発明の第１又は第２の特徴による作用効果に加えて、印刷体は、１乃至複数の写真画像と、１乃至複数の装飾画像とが合成印刷されてなることから、写真画像と装飾画像との自由なレイアウトを容易に実現することができる。
【００１２】
また本発明の複合アルバムは、上記本発明の第２又は第３の特徴に加えて、印刷体は、芯材と略同一な大きさであることを第４の特徴としている。
【００１３】
上記本発明の第４の特徴によれば、上記本発明の第２又は第３の特徴による作用効果に加えて、印刷体は、芯材と略同一な大きさであることから、芯材の大きさ全体に写真画像と装飾画像とを表示することができる。
【００１４】
また本発明の複合アルバムは、上記本発明の第２又は第３の特徴に加えて、表紙には、１乃至複数の写真画像と、１乃至複数の装飾画像とが合成印刷されてあることを第５の特徴としている。
【００１５】
上記第５の特徴によれば、上記本発明の第２又は第３の特徴による作用効果に加えて、表紙には、１乃至複数の写真画像と、１乃至複数の装飾画像とが合成印刷されてあることから、ビジュアル性に優れると共に、オリジナル性のある表紙を形成することができる。
【００１６】
また本発明の複合アルバムは、上記本発明の第１〜第５の何れか１つの特徴に加えて、印刷体の表面に、表面保護膜を被覆させてあることを第６の特徴としている。
【００１７】
上記本発明の第６の特徴によれば、上記本発明の第１〜第５の何れか１つの特徴による作用効果に加えて、印刷体の表面に、表面保護膜を被覆させてあることから、印刷体に汚れや傷がつくことを効果的に防止することができる。
【発明の効果】
【００１８】
本発明の複合アルバムによれば、オリジナル性を有すると共に、製造工程の簡略化を実現することができる。
また持ち運びや保管に便利なアルバムとすることができる。
また写真画像と装飾画像との自由なレイアウトを容易に実現することができる。
またビジュアル性に優れると共に、オリジナル性のある表紙を形成することができる。
また印刷体に汚れや傷がつくことを効果的に防止することができる。
【図面の簡単な説明】
【００１９】
【図１】本発明の実施形態に係る複合アルバムを示す図で、（ａ）は複合アルバムの画像表示部側を示す斜視図、（ｂ）は複合アルバムの表紙側を示す斜視図、（ｃ）は複合アルバムを折り畳んだ状態を示す底面図である。
【図２】本発明の実施形態に係る複合アルバムの分解斜視図である。
【図３】本発明の実施形態に係る複合アルバムを示す図で、（ａ）はアルバムページ用画像表示部の要部を示す正面図、（ｂ）は台紙ページ用画像表示部を示す正面図である。
【図４】本発明の実施形態に係る複合アルバムを示す図で、（ａ）は図３（ａ）のＢ−Ｂ線方向における要部の断面図、（ｂ）は図３（ｂ）のＣ−Ｃ線方向における要部の断面図である。
【図５】本発明の実施形態に係る複合アルバムの製造方法を簡略化して示す正面図である。
【図６】本発明の実施形態に係る複合アルバムの製造方法を簡略化して示す正面図である。
【図７】本発明の実施形態に係る複合アルバムの製造方法を簡略化して示す図で、（ａ）は印刷体をベース材に貼り付ける状態を示す正面図、（ｂ）は印刷体がベース材に貼り付けられることで合成印刷体が形成された状態を示す正面図、（ｃ）は複数の合成印刷体を連結させる状態を示す斜視図である。
【図８】本発明の実施形態に係る複合アルバムの製造方法を簡略化して示す図で、（ａ）はアルバムページ用画像表示部及び台紙ページ用画像表示部が形成される状態を示す正面図、（ｂ）は本体部に画像表示部を貼り付けた状態を示す正面図、（ｃ）は複合アルバムが完成した状態を示す全体斜視図である。
【図９】従来のアルバムを示す図で、（ａ）はアルバムにおける写真を配置してある側を示す斜視図、（ｂ）はアルバムにおける表紙側を示す斜視図である。
【発明を実施するための形態】
【００２０】
以下の図面を参照して、本発明の実施形態に係る複合アルバム１及び複合アルバム１の製造方法を説明し、本発明の理解に供する。しかし、以下の説明は本発明の実施形態であって、特許請求の範囲に記載の内容を限定するものではない。
【００２１】
まず図１〜図４を参照して、本発明の実施形態に係る複合アルバム１を説明する。
【００２２】
本発明の実施形態に係る複合アルバム１は、画像を表示するページ構成体を複数連結させて備えてなるアルバムページ領域Ａ（いわゆるブック型アルバムを構成する領域）と、画像を表示するページ構成体を単体で備えてなる台紙ページ領域Ｄ（いわゆる写真台紙を構成する領域）とを見開き自在に連結させて備えるアルバムである。
また顔写真等の写真画像Ｐと、イラストや図形等の装飾画像Ｓとを合成印刷させた状態で各ページ構成体に表示（掲載）してあるアルバムである。
なお、ここで「写真画像Ｐ」とは、画像のうち、デジタルカメラ等の写真機（いわゆるカメラ）で撮影された画像を意味するものとし、「装飾画像Ｓ」とは、画像のうち、写真画像以外の画像（例えばイラスト、飾り枠、文字、数字等）を意味するものとする。
この複合アルバム１は、図１、図２に示すように、本体部１０と、画像表示部２０とから構成される。
【００２３】
前記本体部１０は、複合アルバム１の骨格（芯）をなすものである。
本実施形態においては、図２に示すように、この本体部１０は、芯材１１と、表紙１２と、背板１３と、屈曲補強材１４とから構成される。
【００２４】
前記芯材１１は、本体部１０の土台をなすものである。
本実施形態においては、図２に示すように、四角形からなる板状部材で芯材１１を形成する構成としてある。また本実施形態においては、同一形状、同一大きさ、同一厚みである３枚の芯材１１を備える構成としてある。
また本実施形態においては、後述するように、複合アルバム１を形成した状態において、芯材１１の表裏の一面側（本実施形態においては、図２に示す芯材１１のうら面１１ａ側）に表紙１２を設けると共に、残る他面側（本実施形態においては、図２に示す芯材１１のおもて面１１ｂ側）に写真画像等の画像を表示する画像表示部２０を設ける構成としてある。
なお芯材１１を形成する板状部材としては、厚紙、チップボール、ＭＤＦボード等を用いることができる。
本実施形態においては、板状部材としてチップボールを用いる構成としてある。
また図３（ａ）に破線の四角形で示す芯材１１の縦の長さＥは、２９７ｍｍ程度とすることが望ましい。
また図３（ａ）に破線の四角形で示す芯材１１の横の長Ｆは、２８５ｍｍ程度とすることが望ましい。
また芯材１１の厚みは、２ｍｍ〜３ｍｍ程度とすることが望ましい。
【００２５】
前記表紙１２は、複合アルバム１の表紙を構成すると共に、複数の芯材１１（本実施形態においては３枚の芯材１１）を折り畳み可能に連結させるためのものである。
この表紙１２は、図２に簡略化して示すように、シート状部材（いわゆるシート）からなり、表裏の何れか一面側（本実施形態においては、図２に示すうら面１２ａ側）を、表紙面としてあると共に、残る他面側（本実施形態においては、図２に示すおもて面１２ｂ側）を、芯材１１、背板１３、屈曲補強材１４を貼り付けるための貼り付け用面としてある。
また図１（ｂ）に示すように、表紙面となるうら面１２ａには、１つの写真画像Ｐと、３つの装飾画像Ｓとを合成印刷（組み合わせて一体的に印刷）してある。
この写真画像Ｐと装飾画像Ｓとの合成は、例えば画像処理ソフトを用いて行うことができる。
本実施形態においては、後述するように、画像処理ソフトを用いて写真画像Ｐをコンピュータ内に入力させた後、画像処理ソフトを用いて写真画像Ｐと任意の装飾画像Ｓとを合成することで行う構成としてある。
また表紙１２を形成するシート状部材への写真画像Ｐと装飾画像Ｓとの合成印刷は、例えばインクジェット印刷や、印画紙出力を用いて行うことができる。
本実施形態においては後述するように、プリンターを用いて水性顔料インクによるインクジェット印刷で行う構成としてある。
【００２６】
また本実施形態においては、後述するように、並列配置させた複数の芯材１１の表面全体に、１枚のシート状部材を被覆させることで、複数の芯材１１を折り畳み可能に連結させた状態で表紙１２を形成する構成としてある。
つまり図３（ａ）に一部を示すように、一定の間隔を空けた状態で並列配置させた３枚の芯材１１の表面全体に、表紙１２を構成する１枚のシート状部材を一体的に被覆させることで、隣接する芯材１１の間に形成される領域を屈曲領域Ｋ１、Ｋ２とし、この屈曲領域Ｋ１、Ｋ２で表紙１２を屈曲可能とさせ、また図１（ｃ）に示すように、１枚のシート状部材からなる表紙１２で３枚の芯材１１（破線で示す）を折り畳み可能に連結させる構成としてある。
なお表紙１２を形成するシート状部材としては、ビニールレザーやフォトペーパー等を用いることができる。
本実施形態においては、シート状部材としてフォトペーパーを用いる構成としてある。
また表紙１２の厚みは、０．１ｍｍ〜０．２ｍｍ程度とすることが望ましい。
なお芯材１１に対する表紙１２の被覆方法は、例えば接着剤を介して表紙１２と芯材１１とを貼り付けることで行うことができる。
より具体的には、本実施形態においては後述するように、１枚のシート状部材の所定位置に接着剤を塗布した後、３枚の芯材１１を表紙１２に貼り付けると共に、表紙１２の端部（図２に示す表紙１２の折り目線Ｌ１よりも外側の部分）を芯材１１のうら面１１ａ側からおもて面１１ｂ側へと折り返して接着させることで行う構成としてある。
なお接着剤としては、表紙１２を形成するシート状部材と芯材１１とを貼り合わせることができるものであれば、如何なるものを用いてもよい。
例えば両面テープ、にかわ等を用いることができる。
【００２７】
また本実施形態においては、図４に示すように、１つの写真画像Ｐと、３つの装飾画像Ｓとを合成印刷してある表紙１２のうら面１２ａの表面に、表面保護膜１２ｃを被覆させてある構成としている。
この表面保護膜１２ｃとしては、例えば表面保護剤や透明の表面保護フィルム等を用いることができる。
また表面保護剤としては、ニス、液体ラミネート等を用いることができる。
また透明の表面保護フィルムとしては、ポリプロピレンフィルム、ポリエチレンフィルム等を用いることができる。
本実施形態においては、後述するように、表面保護膜１２ｃとして透明のフィルムを用い、うら面１２ａの表面に透明のフィルムをラミネート加工することで、うら面１２ａの表面に表面保護膜１２ｃを被覆させる構成としてある。
また表面保護膜１２ｃの厚みは、３２μｍ程度とすることが望ましい。
【００２８】
前記背板１３は、主としてアルバムページ領域Ａにおける、いわゆる背表紙部分の骨格を形成すると共に、強度を補強するために配設される板状部材である。
この背板１３は、図３（ａ）に示すように、隣接する芯材１１の間に形成される表紙１２の屈曲領域Ｋ１に配置されると共に、芯材１１と同様に接着剤を介して表紙１２に貼り付けられる。
なお背板１３を形成する板状部材としては、厚紙、チップボール等を用いることができる。
本実施形態においては、板状部材としてチップボールを用いる構成としてある。
また図３（ａ）に破線の四角形で示す背板１３の縦の長さＧは、既述した芯材１１の縦の長さＥより１ｍｍ程度短いことが望ましい。
また図３（ａ）に破線の四角形で示す背板１３の横の長Ｈは、１５ｍｍ程度とすることが望ましい。
また背板１３の厚みは、２ｍｍ〜３ｍｍ程度とすることが望ましい。
【００２９】
前記屈曲補強材１４は、アルバムページ領域Ａと台紙ページ領域Ｄとの間に形成される屈曲領域Ｋ２の強度を補強するためのものである。
本実施形態においては図２に示すように、細長い長方形からなる部材で屈曲補強材１４を形成する構成としてある。
なお屈曲補強材１４を形成する部材としては、例えばビニールレザー、フォトペーパー等を用いることができる。
本実施形態においては、屈曲補強材１４として無地のフォトペーパーを用いる構成としてある。
また本実施形態においては、後述するように、芯材１１及び背板１３を表紙１２に貼り付けて、図２に示す折り目線Ｌ１で表紙１２をうら面１２ａ側からおもて面１２ｂ側へと折り返して接着させた後に、表紙１２及び芯材１１に接着剤を介して屈曲補強材１４を貼り付ける構成としてある。
なお屈曲補強材１４の大きさ（面積）は、屈曲領域Ｋ２の強度を効果的に補強できる大きさであることが望ましい。より具体的には、屈曲領域Ｋ２の大きさ（面積）の全域を被覆できるような大きさであることが望ましい。
本実施形態においては、図３（ａ）に示すように、屈曲補強材１４の縦の長さＪを芯材１１の縦の長さＥよりもやや短いものとすると共に、横の長さＭを屈曲領域Ｋ２の幅よりも長いものとする構成としてある。
更に具体的には、図３（ａ）に示す屈曲補強材１４の縦の長さＪは、後述する印刷体２１ｂの縦の長さＮと同等の２９０ｍｍ程度とすることが望ましい。
また図３（ａ）に示す屈曲補強材１４の横の長さＭは、５０ｍｍ程度とすることが望ましい。５０ｍｍ未満であると、芯材１１との貼りしろがなくなるからである。
【００３０】
前記画像表示部２０は、写真画像Ｐと装飾画像Ｓとを一体的に表示させるためのものである。
本実施形態においては、図１、図２に示すように、この画像表示部２０は、アルバムページ用画像表示部２１と台紙ページ用画像表示部２２とから構成される。
【００３１】
前記アルバムページ用画像表示部２１は、アルバムページ領域Ａにおける画像表示部２０を構成するものである。
このアルバムページ用画像表示部２１は、図２、図４（ａ）に示すように、ベース材２１ａと、印刷体２１ｂと、表面保護膜２１ｃとからなるページ構成体２ａを複数連結させることで形成されている。
なお図４（ａ）においては、実際には複数のページ構成体２ａが連結されてなるアルバムページ用画像表示部２１において、本体部１０に貼り付けられているページ構成体２ａのみを図示し、その他は省略するものとする。
【００３２】
前記ベース材２１ａは、ページ構成体２ａの骨格を構成するものである。
本実施形態においては、図２に簡略化して示すように、見開き自在に２つ折り可能な１枚の長方形からなる板状部材でベース材２１ａを形成する構成としてある。
より具体的には、中央に形成される折り目線（図示しない）に沿って２つ折り（谷折り）することで、同一大きさの２面を内側に対向させて形成することができると共に、それら２面を見開き自在とすることができる１枚の長方形からなる板状部材でベース材２１ａを形成する構成としてある。
また本実施形態においては後述するように、１枚のベース材２１ａを２つ折り（谷折り）した際に内側で対向する２面に、接着剤を介して２枚の印刷体２１ｂを貼り付ける構成としてある。
このベース材２１ａを形成する板状部材としては、厚紙、コート紙等を用いることができる。
本実施形態においては、ベース材２１ａとして厚紙を用いる構成としてある。
なおベース材２１ａの大きさは、少なくとも印刷体２１ｂを２枚並列配置させて貼り付けることができる大きさ以上であることが必要である。
またベース材２１ａの厚みは、０．３ｍｍ〜０．５ｍｍ程度とすることが望ましい。
またベース材２１ａに印刷体２１ｂを貼り付ける接着剤としては、ベース材２１ａと印刷体２１ｂとを貼り合わせることができるものであれば、如何なるものを用いてもよい。
例えば両面テープ、にかわ等を用いることができる。
【００３３】
前記印刷体２１ｂは、写真画像Ｐと装飾画像Ｓとを合成印刷させて表示するためのものである。
本実施形態においては、後述するように、印刷体２１ｂに１乃至複数の写真画像Ｐ（顔写真）及び／又は１乃至複数の装飾画像Ｓ（イラスト、フレーム枠等）を合成印刷して設ける構成としてある。また詳しくは図示していないが、本実施形態においては、アルバムページ用画像表示部２１を構成する複数枚の印刷体２１ｂにそれぞれ異なる画像を印刷する構成としてある。
この印刷体２１ｂとしては、印画紙、インクジェット紙等を用いることができる。
本実施形態においては、印刷体２１ｂとして印画紙を用いる構成としてある。
また本実施形態においては、図３（ａ）に示すように、印刷体２１ｂの大きさを、芯材１１と略同一な大きさ（面積）とする構成としてある。
ここで「略同一な大きさ」とは、印刷体２１ｂの大きさ（面積）が、芯材１１の大きさ（面積）に対して、９０％程度〜９５％程度の大きさ（面積）であることを意味するものとする。
より具体的には、図３（ａ）に示す印刷体２１ｂの縦の長さＮは、２９０ｍｍ程度とすることが望ましい。
また印刷体２１ｂの横の長さＯは、２９０ｍｍ程度とすることが望ましい。
また印刷体２１ｂの厚みは、０．２ｍｍ〜０．３５ｍｍ程度とすることが望ましい。
なお写真画像Ｐと装飾画像Ｓとの合成は、例えば画像処理ソフトを用いて行うことができる。
本実施形態においては、後述するように、画像処理ソフトを用いて写真画像Ｐをコンピュータ内に入力した後、画像処理ソフトを用いて写真画像Ｐと任意の装飾画像Ｓとを合成する構成としてある。
また印刷体２１ｂへの写真画像Ｐ、装飾画像Ｓの印刷は、例えばインクジェット印刷や印画紙出力等を用いて行うことができる。
本実施形態においては後述するように、プリンターを用いて印画紙出力で行う構成としてある。
【００３４】
前記表面保護膜２１ｃは、印刷体２１ｂを保護するためのものである。
より具体的には、写真画像Ｐと装飾画像Ｓとを合成印刷させて備える印刷体２１ｂに汚れや傷がつくことを防止すると共に、複合アルバム１を閉じた状態において隣接する印刷体２１ｂ同士及び印刷体２１ｂと後述する印刷体２２ｂとが湿気等により接着することを防止するためのものである。
この表面保護膜２１ｃとしては、例えば表面保護剤や透明の表面保護フィルム等を用いることができる。
また表面保護剤としては、ＵＶニス、水性ラミネート等を用いることができる。
また透明の表面保護フィルムとしては、ポリエチレンフィルム等を用いることができる。
本実施形態においては、印刷体２１ｂの表面全体にＵＶニスを塗布することで、印刷体２１ｂの表面に表面保護膜２１ｃを被覆させる構成としてある。
また表面保護膜２１ｃの厚みは、４．５μｍ〜６．５μｍ程度とすることが望ましい。
【００３５】
このような構成からなるアルバムページ用画像表示部２１は、以下のように形成される。
まず見開き自在な（２つ折り可能な）１枚のベース材２１ａに、接着剤を介して表面保護膜２１ｃを備える２枚の印刷体２１ｂを並列配置させて貼り付けることで図２に示す１つのページ構成体２ａを形成する。
その後、図７（ｃ）に簡略化して示すように、接着剤を介して複数のページ構成体２ａのうら面（ベース材２１ａにおいて印刷体２１ｂを貼り付けていない面）同士を連結させる。
なお接着剤としては、複数のページ構成体２ａのうら面同士を貼り合わせることができるものであれば、如何なるものを用いてもよい。例えば両面テープ、澱粉系接着剤、サクビ系接着剤等を用いることができる。
これにより、見開き自在な複数のページ構成体２ａを備えてなるアルバムページ用画像表示部２１が形成される。つまり画像を印刷表示した印刷体２１ｂを複数連結させて備えるアルバムページ用画像表示部２１が形成される。
そしてこのように形成されるアルバムページ用画像表示部２１は、図３（ａ）に１点鎖線で示す接着剤３０を介して本体部１０に貼り付けられる。
より具体的には、図２に示す２つのうら面２１ｄ（アルバムページ用画像表示部２１において写真画像Ｐ等の画像を表示していない面）が、本体部１０において２面を形成する２つの芯材１１（図２に示す３枚の芯材１１のうち、真ん中及び左側の芯材１１）に、それぞれ図３（ａ）に示す接着剤３０を介して貼り付けられる。
なお接着剤３０としては、本体部１０とアルバムパージ用画像表示部２１とを貼り合わせることができるものであれば、如何なるものを用いてもよい。
例えば両面テープ等を用いることができる。
【００３６】
前記台紙ページ用画像表示部２２は、台紙ページ領域Ｄにおける画像表示部２０を構成するものである。
この台紙ページ用画像表示部２２は、図２、図４（ｂ）に示すように、ベース材２２ａと、印刷体２２ｂと、表面保護膜２２ｃとからなるページ構成体２ｂを単体で備えることで形成されている。
なおベース材２２ａ、印刷体２２ｂ、表面保護膜２２ｃは、それぞれ既述したアルバムページ用画像表示部２１を形成するベース材２１ａ、印刷体２１ｂ、表面保護膜２１ｃと同一部材で形成されるものであることから、以下の詳細な説明は省略するものとする。
【００３７】
前記ベース材２２ａは、ページ構成体２ｂの骨格を構成するものである。
ページ構成体２ｂにおいては、図２に簡略化して示すように、四角形からなる板状部材でベース材２２ａを形成する構成としてある。
またページ構成体２ｂにおいては、後述するように、接着剤を介して１枚のベース材２２ａに１枚の印刷体２２ｂを貼り付ける構成としてある。
なおベース材２２ａの大きさは、印刷体２２ｂの大きさと同一若しくはそれ以上であることが望ましい。
またベース材２２ａの材質、厚み、ベース材２２ａへの印刷体２２ｂの貼り付け方法は、既述したベース材２１ａと同様である。
【００３８】
前記印刷体２２ｂは、写真画像Ｐと装飾画像Ｓとを合成印刷させて表示するためのものである。
また本実施形態においては、図３（ｂ）に示すように、印刷体２２ｂの大きさを、既述した印刷体２１ｂと同様に芯材１１と略同一な大きさ（面積）とする構成としてある。
より具体的には、図３（ｂ）に示す印刷体２２ｂの縦の長さＱは、２９０ｍｍ程度とすることが望ましい。
また印刷体２２ｂの横の長さＲは、２８０ｍｍ程度とすることが望ましい。
また印刷体２２ｂの厚みは、０．２ｍｍ〜０．３５ｍｍ程度とすることが望ましい。
なお印刷体２２ｂの材質、写真画像Ｐと装飾画像Ｓとの合成方法、印刷体２２ｂへの写真画像Ｐ、装飾画像Ｓの印刷方法は、既述した印刷体２１ｂと同様である。
【００３９】
前記表面保護膜２２ｃは、印刷体２２ｂを保護するためのものである。
より具体的には、写真画像Ｐと装飾画像Ｓとを合成印刷させて備える印刷体２２ｂに汚れや傷がつくことを防止すると共に、複合アルバム１を閉じた状態において印刷体２２ｂと印刷体２１ｂとが湿気等により接着することを防止するためのものである。
この表面保護膜２２ｃの材質、形成方法、厚みは、既述した表面保護膜２１ｃと同様である。
【００４０】
このような構成からなる台紙ページ用画像表示部２２は、以下のように形成される。
まず１枚のベース材２２ａに接着剤を介して表面保護膜２２ｃを備える１枚の印刷体２２ｂを貼り付けることで図２に示すページ構成体２ｂを形成する。
これにより、ページ構成体２ｂを単体で備える台紙ページ用画像表示部２２が形成される。つまり画像を印刷表示した印刷体２２ｂを単体で備える台紙ページ用画像表示部２２が形成される。
そしてこのように形成される台紙ページ用画像表示部２２は、図２に示すうら面２２ｄ（台紙ページ用画像表示部２２において写真画像Ｐ等の画像を表示していない面）が、本体部１０において１面を形成する１つの芯材１１（図２に示す３枚の芯材１１のうち、右端の芯材１１）に、図３（ｂ）に１点鎖線で示す既述した接着剤３０を介して貼り付けられる。
【００４１】
このような構成からなる本発明の実施形態に係る複合アルバム１は、以下の効果を奏する。
アルバムページ用画像表示部２１と台紙ページ用画像表示部２２とを見開き自在な３面に連結させて備える構成とすることで、１冊のアルバムに趣の異なる２つの画像表示部を備えることができる。より具体的には、１冊のアルバムで、いわゆるブック型アルバムといわゆる写真台紙とを同時に表現することができる。よってオリジナル性を有するアルバムとすることができる。従って販売時に他のアルバムとの差別化を図ることができる。
またアルバムページ用画像表示部２１を形成する印刷体２１ｂと、台紙ページ用画像表示部２２を形成する印刷体２２ｂとに、写真画像Ｐと装飾画像Ｓとを合成印刷する構成とすることで、印刷体２１ｂ、２２ｂに写真画像Ｐと装飾画像Ｓとの自由なレイアウトを容易に形成することができる。また１枚の印刷体２１ｂ、２２ｂに複数の画像を容易に表示させることができる。よってビジュアル性に優れると共に、オリジナル性のある画像表示部２０とすることができる。
またアルバムページ用画像表示部２１と台紙ページ用画像表示部２２とを本体部１０に貼り付けるだけの構成であるので、製造工程の簡略化と製造コストの低コスト化を実現することができる。
また並列配置させた３枚の芯材１１の表面全体に１枚のシート状部材からなる表紙１２を貼り付けることで、３枚の芯材１１を折り畳み可能に連結させた状態に形成する構成であることから、２つの屈曲領域Ｋ１、Ｋ２の２ヶ所で見開き自在な複数面（３面）を備える本体部１０を容易に形成することができる。よって一段と製造工程の簡略化を実現することができる。更に本体部１０を構成する３枚の芯材１１を折り畳み可能に連結させることで、持ち運びや保管に便利なアルバムとすることができる。
また印刷体２１ｂ、２２ｂの大きさを、それぞれ芯材１１と略同一な大きさとする構成とすることで、芯材１１の大きさ全体に写真画像Ｐと装飾画像Ｓとを表示することができ、ビジュアル性に優れるアルバムとすることができる。また芯材１１への画像表示部２０の位置合わせを容易に行うことができ、一段と製造工程の簡略化を実現することができる。更に本実施形態においては、１枚のシート状部材からなる表紙１２の端部（図２（ａ）に示す表紙１２における折り目線Ｌ１よりも外側の部分）を芯材１１のおもて面１１ｂ側に折り返して接着させる構成であることから、芯材１１に表紙１２を接着させた状態において、芯材１１のおもて面１１ｂと表紙１２の折り返し部分とが、いわばむき出し状態で露出されているところ、画像表示部２０でこれらおもて面１１ｂと表紙１２の折り返し部分とを効果的に被覆する（隠す）ことができる。よって一段とビジュアル性に優れた、デザイン性の高いアルバムとすることができる。
また表紙１２に写真画像Ｐと装飾画像Ｓとを合成印刷する構成とすることで、ビジュアル性に優れると共に、オリジナル性のある表紙１２を形成することができる。つまりビジュアル性に優れると共に、オリジナル性のある外観を備えるアルバムとすることができる。よって販売時に一段と他のアルバムとの差別化を図ることができる。
更に表紙１２を１枚のシート状部材で形成することで、図１（ｂ）に示すように、写真台紙１を開いた状態において、表紙１２の全面に渡って連なった画像を表示（掲載）することができ、一段とビジュアル性に優れると共に、オリジナル性のある外観を備える複合アルバム１とすることができる。
また表紙１２のうら面１２ａに表面保護膜１２ｃを被覆させる構成とすることで、表紙１２に汚れや傷が付くことを効果的に防止することができる。
また印刷体２１ｂ、２２ｂの表面にそれぞれ表面保護膜２１ｃ、２２ｃを被覆させる構成とすることで、印刷体２１ｂ、２２ｂに汚れや傷が付くことを効果的に防止することができると共に、複合アルバム１を閉じた状態においては、隣接する印刷体２１ｂ同士と、隣接する印刷体２１ｂと印刷体２２ｂとが湿気等により接着することを効果的に防止することができる。更に表面保護膜２１ｃ、２２ｃを共にニスで形成する構成とすることで、光沢感、或いはつや消し感を備えた画像表示部２０とすることができ、高級感を演出することができる。
また屈曲補強材１４の大きさを、縦の長さＪが芯材１１の縦の長さＥよりもやや短く、横の長さＭが屈曲領域Ｋ２の幅よりも長いものとする構成とすることで、屈曲領域Ｋ２の強度を効果的に補強することができ、繰り返しの折り畳みに対する耐性を十分に備えるアルバムとすることができる。
更に図３に簡略化して示すように、屈曲領域Ｋ１と屈曲領域Ｋ２とは、共に表紙１２のおもて面１２ｂの素材がいわばむき出し状態で露出する部分であるところ、まず屈曲領域Ｋ２においては、本実施形態における屈曲補強材１４の大きさとすることで、おもて面１２ｂが露出している部分を屈曲補強材１４で効果的に被覆する（隠す）ことができる。
また屈曲領域Ｋ１においては、複数のページ構成体２ａが連結されてなるアルバムページ用画像表示部２１のうら面２１ｄを芯材１１の２面に貼り付ける構成とすることで、図３（ａ）に示すように、おもて面１２ｂが露出している部分をアルバムページ用画像表示部２１で効果的に被覆する（隠す）ことができる。
従って一段とビジュアル性に優れた、デザイン性の高いアルバムとすることができる。
また本体部１０に画像表示部２０を貼り付けるための接着剤３０として、例えば両面テープを用いた場合には、作業性が良く、製造効率の良いアルバムとすることができる。
【００４２】
つまり図９（ａ）に示すように、従来のアルバム３は、本体部４と、厚紙等の芯材の表裏全面に感圧性接着剤を塗布し、表面を透明の保護フィルムで剥離自在に被覆した台紙５を複数枚連結させてなるページ構成部６とを一体化させて形成されるものが一般的であった。
またこのような従来のアルバム３においては、芯材と保護フィルムとの間に写真Ｔ（いわゆる現像写真）を挟み込むことで写真Ｔを保存、閲覧するものが一般的であった。
よってアルバムの構成（形態等）が単調なものとなり、オリジナル性に欠けるという問題があった。
また自由なレイアウトで写真Ｔを配置することが困難であるという問題があった。
また現像された写真Ｔを用いる構成であることから、写真画像と、装飾画像とを組み合わせて表示することができず、オリジナル性のあるアルバムを形成することができないという問題があった。
また図９（ｂ）に示すように、従来のアルバム３は、表紙４ａが無地で形成されるものが一般的であった。
よってオリジナル性及びビジュアル性のある外観を有するアルバムとすることができないという問題があった。
【００４３】
従って本発明の実施形態に係る複合アルバム１の構成とすることで、オリジナル性を有すると共に、製造工程の簡略化を実現することができ、また写真画像Ｐと装飾画像Ｓとの自由なレイアウトを容易に実現可能であると共に、ビジュアル性に優れるアルバムとすることができる。
【００４４】
次に図５〜図８を参照して、本発明の実施形態に係る複合アルバム１の製造方法を説明することで、本発明の実施形態に係る複合アルバム１を更に詳細に説明する。
【００４５】
まず図５（ａ）を参照して、表紙形成工程Ｕにより、表紙１２を形成する所定大きさのシート状部材を準備して、一面側に写真画像Ｐと装飾画像Ｓとを合成印刷する。なお本実施形態においては、シート状部材としてフォトペーパーを用いる構成としてある。
なお写真画像Ｐと装飾画像Ｓとの合成は、画像処理ソフトを用いて写真画像Ｐをコンピュータ内に入力させた後、画像処理ソフトを用いて写真画像Ｐと任意の装飾画像Ｓとを合成する。
またシート状部材への写真画像Ｐと装飾画像Ｓとの合成印刷は、プリンターを用いて水性顔料インクによるインクジェット印刷により行う。
なお図５（ａ）に示すシート状部材の縦の長さＶは、３３７ｍ程度することが望ましい。
また図５（ａ）に示すシート状部材の横の長さＷは、９５０ｍｍ程度することが望ましい。
次に図５（ｂ）を参照して、シート状部材における、合成印刷を施した面と反対側の面に折り目線Ｌ１を形成すると共に、折り目線Ｌ１に沿ってシート状部材の仮折りを行う。この折り目線Ｌ１の形成及びシート状部材の仮折りは、図示しない機械を用いて行う。
次に図５（ｃ）を参照して、折り目線Ｌ１を形成した面の所定領域（具体的には、芯材１１と背板１３に被覆させる領域）に接着剤４０を塗布する。なお接着剤４０としては、シート状部材と芯材１１及び背板１３とを貼り合わせることができるものであれば、如何なるものを用いてもよい。
例えば両面テープ、にかわ等を用いることができる。
次に図６（ａ）を参照して、シート状部材の所定位置（具体的には、３枚の芯材１１をシート状部材で折り畳み可能に連結させることができると共に、２枚の芯材１１の間に背板１３を配置できる位置、更に具体的には図５（ｃ）において１点鎖線で囲む位置）に、所定大きさの厚紙からなる基材１１及び背板１３を貼り付ける。
次に図６（ｂ）を参照して、シート状部材を折り目線Ｌ１で折り返して、シート状部材の端部（図５（ｂ）に示すシート状部材の折り目線Ｌ１よりも外側の部分）を芯材１１のおもて面１１ｂ側及び背板１３のおもて面１３ａ側に貼り付ける。また同時に屈曲領域Ｋ１、Ｋ２となる領域においてはシート状部材同士を貼り付ける。
以上の工程により、表紙形成工程Ｕが終了し、芯材１１の一面側（本実施形態においては、図２に示す芯材１１のうら面１１ａ側）に表紙１２が設けられる。
【００４６】
次に図６（ｃ）を参照して、画像表示部形成工程Ｘにより、印刷体２１ｂ、２２ｂを形成する所定大きさの印画紙を準備して、写真画像Ｐと装飾画像Ｓとを合成印刷する。
なお写真画像Ｐと装飾画像Ｓとの合成は、画像処理ソフトを用いて写真画像Ｐをコンピュータ内に入力させた後、画像処理ソフトを用いて写真画像Ｐと任意の装飾画像Ｓとを合成する。
また印画紙への写真画像Ｐと装飾画像Ｓとの印刷は、図示しないプリンターを用いて印画紙出力により行う。
次に図示していないが、写真画像Ｐと装飾画像Ｓとを印刷した印画紙の表面全体に表面保護剤を塗布することで、印刷体２１ｂ、２２ｂの表面に表面保護膜２１ｃ、２２ｃを被覆させる。
なお本実施形態においては、表面保護剤としてＵＶニスを用い、機械を用いて印刷体２１ｂ、２２ｂの表面に表面保護膜２１ｃ、２２ｃを被覆させる構成としてある。
次に図７（ａ）を参照して、アルバムページ用画像表示部２１を形成するベース材２１ａとして、折り目線Ｌ２を挟んで２枚の印刷体２１ｂを並列配置させた状態で貼り付けることができる大きさの厚紙を準備する。また台紙ページ用画像表示部２２を形成するベース材２２ａとして、印刷体２２ｂと略同一大きさの厚紙を準備する。
そしてベース材２１ａ、２２ａを形成するそれぞれの厚紙の表面に接着剤５０を塗布し、１枚のベース材２１ａと２枚の印刷体２１ｂ、１枚のベース材２２ａと１枚の印刷体２２ｂとを貼り合わせる。なおアルバムページ用画像表示部２１を形成する工程においては、この工程を所定回数（本実施形態においては４回）繰り返す。
また接着剤５０としては、ベース材２１ａと印刷体２１ｂ及びベース材２２ａと印刷体２２ｂとを貼り合わせることができるものであれば、如何なるものを用いてもよい。
例えば両面テープ、にかわ等を用いることができる。
これにより、図７（ｂ）に示すように、後にアルバムページ用画像表示部２１を形成する合成印刷体Ｉ１と、台紙ページ用画像表示部２２を形成する合成印刷体Ｉ２とが形成される。
次に図７（ｂ）、図７（ｃ）を参照して、後にアルバムページ用画像表示部２１となる合成印刷体Ｉ１を、折り目線Ｌ２に沿って２枚の印刷体２１ｂが内側で対向するように２つ折りにする。そして２つ折りにした状態で接着剤６０を介して複数枚の合成印刷体Ｉ１を相互に貼り付ける。なお図７（ｃ）においては、相互に貼り合わされる４枚の合成印刷体Ｉ１のうち、２枚のみを示すものとする。
また接着剤６０としては、複数枚の合成印刷体Ｉ１を相互に貼り合わせることができるものであれば、如何なるものを用いてもよい。
例えば両面テープ、澱粉系接着剤、サクビ系接着剤等を用いることができる。
次に図８（ａ）を参照して、２つ折りにした状態で相互に貼り合わされてある複数枚の合成印刷体Ｉ１を切断機により切断線Ｌ３に沿って切断する。また１枚の合成印刷体Ｉ２を切断機により切断線Ｌ４に沿って切断する。
これにより、アルバムページ用画像表示部２１と台紙ページ用画像表示部２２とが形成される。またこの工程により、ベース材２１ａと印刷体２１ｂとの貼り合わせ工程、及びベース材２２ａと印刷体２２ｂとの貼り合わせ工程で生じる、ベース材２１ａと印刷体２１ｂ間及びベース材２２ａと印刷体２２ｂ間におけるズレ部分を切断することができ、ベース材２１ａと印刷体２１ｂ及びベース材２２ａと印刷体２２ｂとの寸法合わせを行うことができる。
【００４７】
次に図８（ｂ）を参照して、屈曲補強材貼り付け工程Ｙにより、屈曲補強材１４となる所定大きさのフォトペーパーを準備し、図示しない接着剤を介して屈曲領域Ｋ２にフォトペーパーを貼り付ける。
なお接着剤としては、芯材１１及び表紙１２に屈曲補強材１４を構成するシート状部材を貼り付けることができるものであれば、如何なるものを用いてもよい。
例えば両面テープ等を用いることができる。
次に図８（ｂ）を参照して、画像表示部貼り付け工程Ｚにより、１点鎖線で示す領域に両面テープからなる接着剤３０を配置し、芯材１１に接着剤３０を介してアルバムページ用画像表示部２１と、台紙ページ用画像表示部２２とをそれぞれ貼り付ける。なおこの際、アルバムページ用画像表示部２１においては、折り目線Ｌ２（図示しない）が屈曲領域Ｋ１の幅の中央に配置されるように位置合わせを行う。
これにより、図８（ｂ）に示すように、芯材１１の他面側（本実施形態においては図２に示す芯材１１のおもて面１２ｂ側）に画像表示部２０が設けられる。
以上の工程を経ることで、図８（ｃ）に示す本発明の実施形態に係る複合アルバム１が形成される。
【００４８】
なお本実施形態においては、芯材１１、ベース材２１ａ、２２ａ、印刷体２１ｂ、２２ｂを四角形若しくは長方形で形成する構成としたが、必ずしもこのような構成に限るものではなく、芯材１１、ベース材２１ａ、２２ａ、印刷体２１ｂ、２２ｂの形状は適宜変更可能である。
また本実施形態においては、芯材１１を３枚備えることで、２ヶ所で見開き自在な３面を備える本体部１０とする構成としたが、必ずしもこのような構成に限るものではなく、芯材１１の枚数、本体部１０を見開き自在とすることができる部分の数は適宜変更可能である。但し、少なくとも２ヶ所以上で見開き自在な３面以上の面を備え、且つ少なくとも２面にはアルバムページ用画像表示部２１を貼り付け、且つ残る面のうち少なくとも１面には台紙ページ用画像表示部２２を貼り付けることで、アルバムページ用画像表示部２１と台紙ページ用画像表示部２２とを見開き自在に連結させることができるものであることが必要である。
また写真画像Ｐ、装飾画像Ｓの構成（デザイン、配置位置、大きさ、数等）、アルバムページ用画像表示部２１の構成（ベース材２１ａ、印刷体２１ｂの枚数等）も本実施形態のものに限るものではなく、適宜変更可能である。
また本実施形態においては、アルバムページ用画像表示部２１を構成する複数枚の印刷体２１ｂにそれぞれ異なる画像を印刷する構成としたが、必ずしもこのような構成に限るものでない。例えばページ構成体２ａを構成する２枚の印刷体２１ｂの２面に渡って連続する画像を印刷するような構成としてもよい。このような構成とすることで、一段とオリジナル性を有すると共に、ビジュアル性に優れたアルバムとすることができる。
また本実施形態においては、無地のフォトペーパーで屈曲補強材１４を形成する構成としたが、必ずしもこのような構成に限るものではない。例えば屈曲補強材１４にプリンターを用いてインクジェット印刷で画像表示部２０に形成される画像と関連する画像（例えば画像表示部２０に形成される画像と連続する画像）を形成する構成としてもよい。また屈曲補強材１４に、装飾画像Ｓとなる飾り模様等の飾り画像を形成する構成としてもよい。このような構成とすることで、一段とビジュアル性に優れると共に、オリジナル性のある複合アルバム１とすることができる。
【産業上の利用可能性】
【００４９】
本発明は、記念写真を保存、閲覧することができるアルバムに利用することができる。
【符号の説明】
【００５０】
１          複合アルバム
２ａ        ページ構成体
２ｂ        ページ構成体
３          アルバム
４          本体部
４ａ        表紙
５          台紙
６          ページ構成体
１０        本体部
１１        芯材
１１ａ      うら面
１１ｂ      おもて面
１２        表紙
１２ａ      うら面
１２ｂ      おもて面
１２ｃ      表面保護膜
１３        背板
１３ａ      おもて面
１４        屈曲補強材
２０        画像表示部
２１        アルバムページ用画像表示部
２１ａ      ベース材
２１ｂ      印刷体
２１ｃ      表面保護膜
２１ｄ      うら面
２２        台紙ページ用画像表示部
２２ａ      ベース材
２２ｂ      印刷体
２２ｃ      表面保護膜
２２ｄ      うら面
３０        接着剤
４０        接着剤
５０        接着剤
６０        接着剤
Ａ          アルバムページ領域
Ｄ          台紙ページ領域
Ｅ          長さ
Ｆ          長さ
Ｇ          長さ
Ｈ          長さ
Ｉ１        合成印刷体
Ｉ２        合成印刷体
Ｊ          長さ
Ｋ１        屈曲領域
Ｋ２        屈曲領域
Ｌ１        折り目線
Ｌ２        折り目線
Ｌ３        切断線
Ｌ４        切断線
Ｍ          長さ
Ｎ          長さ
Ｏ          長さ
Ｐ          写真画像
Ｑ          長さ
Ｒ          長さ
Ｓ          装飾画像
Ｔ          写真
Ｕ          表紙形成工程
Ｖ          長さ
Ｗ          長さ
Ｘ          画像表示部形成工程
Ｙ          屈曲補強材貼り付け工程
Ｚ          画像表示部貼り付け工程
【図１】
2013220540.tif 000003
【図２】
2013220540.tif 000004
【図３】
2013220540.tif 000005
【図４】
2013220540.tif 000006
【図５】
2013220540.tif 000007
【図６】
2013220540.tif 000008
【図７】
2013220540.tif 000009
【図８】
2013220540.tif 000010
【図９】
2013220540.tif 000011